(57)【要約】【課題】立体的マチ構造を有する保温性と嵩高性とを有する掛布団を得る。【解決手段】表側地及び裏側地の周縁を縫着して形成された掛布団内部に、表側地を上とした掛布団側面視構造において、縦横マチ布によって縦横両方向に形成され、頂角が表側地に接する複数個の三角柱室、該縦三角柱室と横三角柱室の交差部に形成された四角錐室、三角柱室に囲まれた空間に形成された表側地側の面が裏側地側の面より大きい面積の台形室とが分画形成され、詰め物が充填されてなる立体マチ構造を有する掛布団。【選択図】図１
2007020703.tif 000002
【特許請求の範囲】
【請求項１】
表側地及び裏側地の間に縦横のマチ布を設け、表裏側地の周縁を縫着した掛布団において、縦マチ布及び横マチ布によって縦横両方向に形成され頂角が表側地に接する複数個の三角柱室、該縦三角柱室と横三角柱室の交差部に形成された四角錐室、三角柱室に２辺以上が囲まれた空間に形成され表側地側の面が裏側地側の面より大きい面積の台形室とが分画形成され、三角柱室、四角錐室、および台形室よりなる掛布団内部に詰め物が充填されてなる立体マチ構造を有する掛布団。
【請求項２】
布団周縁に位置する台形室は、その２辺股は３辺を三角柱室で囲まれ、他辺は表裏側地の縫着による端縁で囲まれている請求項１に記載の掛布団。
【請求項３】
掛布団の縦方向中央部に形成された台形室に、それ以外の区画室内の詰め物より大きい単位量の詰め物がなされている請求項２に記載の掛布団。
【請求項４】
掛布団内部に充填される詰め物が羽毛である請求項１、２、３のいずれかに記載の掛布団。
【発明の詳細な説明】
【技術分野】
【０００１】
本発明は、身体になじみが良く使用中に詰め物の偏りの生じない、保温性の高い立体マチ構造を有する掛布団に関する。
【背景技術】
【０００２】
従来、掛布団は、表側と裏側との２枚の布地で袋体を形成し、必要に応じて内部をマチ布または仕切り布で小区画を形成して袋体中に羽毛、化繊綿等を充填して製造されている。縦仕切り布を用いて仕切られた複数室内に詰め物を充填して中綿の移動を押さえる立体キルティング布団は知られており（特許文献１）、表地と裏地の間にマチ布を台布テープ、芯地テープで配置して布団の横方向に骨部用保温材室を設けた掛布団も知られている（特許文献２参照）。
【０００３】
しかしながら、特に詰め物として羽毛を使用した掛け布団においては、布団内部を仕切り布やマチ布によって立体的に区画して詰め物を充填しても、詰め物が非常に軽量であるため布団が浮きあがったりして身体とのなじみが悪く、また、使用中に羽毛の部分的偏りが生じやすく保温性が損なわれる。また、詰められた羽毛の量が少ないと布団側地によって内部空間が圧迫されて羽毛布団の嵩が減少して保温性に劣るようになる、などの問題がある。
【特許文献１】特開平８- ２４２９９６号公報
【特許文献２】特許第３４８１８１９号公報
【発明の開示】
【発明が解決しようとする課題】
【０００４】
本発明者は、掛布団に保温性と嵩高性とを持たせるのに最も適しており、しかも就寝者の身体になじみのよい掛け布団となるようなマチ構造を検討した。本発明は、布団内部に三角柱、四角錘及び台形の区画室を形成するよう、マチ布を立体的に構成することによって、保温性と嵩高性とを有する掛布団を得ることを目的とする。
【課題を解決するための手段】
【０００５】
本発明の掛布団は、表側地及び裏側地の間に縦横のマチ布を設け、表裏側地の周縁を縫着した掛布団において、縦マチ布及び横マチ布によって縦横両方向に形成され頂角が表側地に接する複数個の三角柱室、該縦三角柱室と横三角柱室の交差部に形成された四角錐室、三角柱室に２辺以上が囲まれた空間に形成され表側地側の面が裏側地側の面より大きい面積の台形室とが分画形成され、三角柱室、四角錐室、および台形室よりなる掛布団内部に詰め物が充填されてなる立体マチ構造を有する掛布団である。
【発明の効果】
【０００６】
本発明の掛布団は、身体に触れる裏側面には、布団表側面の数倍もの数の区画された羽毛充填室の底面が接しており、それらの室の中に羽毛等の詰め物が充填されているので、裏面の凹凸が緩やかになり、就寝者の身体へのフィット性、ドレープ性が優れている。また、使用時も掛布団内部で羽毛の偏りが生じることがなく保温性が向上する。更に、布団内部には、縦横に三角柱状室が、そして三角柱室の交差部には四角錐室が形成されているので、この部分は、芯材的な作用を発揮し、掛布団の形状と嵩高性を維持するのに寄与するので、その他の部分の詰め物の充填量を少なく、即ち、布団全体の重量を軽くしたり、必要部分への詰め物量の増減も容易である。
【発明を実施するための最良の形態】
【０００７】
本発明の掛布団を図面を参照して説明する。
図１は、表側地２と裏側地３の周縁を縫着４した掛布団１の、一部表側地２を除いた部分切欠平面図（詰物は省略し、図示していない）で、表側地２に、表側地横縫目線５と表側地縦縫目線６が形成されている。図２は、図１の掛布団１の一部裏側地３を除いた部分切欠底面図（詰物は省略し、図示していない）で、表側地２と縫着４した裏側地３に、裏側地横縫目線７と裏側地縦縫目線８がそれぞれ形成されている。これらの縫目線７，８は、表側地２と裏側地３の間の掛布団１の空間内部で、後述する横マチ，を構成する横マチ布９−１，９−２及び、縦マチ１０を構成する縦マチ布１０−１，１０−２を裏側地３に、表側地２、それぞれ縫着した縫目線を示していて、これらの縫目線は、表側地２の縫目線５、６よりより密に裏地側に現れている。掛布団１の空間内部には、後述するように横マチ布９−１，９−２、縦マチ布１０−１，１０−２によって分画された台形室１１、横三角柱室１２、縦三角柱室１５、横三角柱室１２と縦三角柱室１５の交差部に形成された四角錐室１８が形成される。尚、本発明における台形室１１とは、表側地２を上とした掛布団側面視構造において、頂角が表側地に接する縦横両方向に形成された三角柱室１５，１２の間に設けられ、その表側地２側の面が裏側地３側の面より大きい面積を有するように形成された逆台形の室であって、各台形室１１、横三角柱室１２，縦三角柱室１５、四角錐室１８はそれぞれが独立した区画として形成されている。
【０００８】
次に、本発明掛布団の内部の立体構造の一例を説明する。本発明の布団の立体構造を得るための縫製方法は以下説明する手段に限定されることはなく、以下は縫製の一例を示したものである。
【０００９】
図２のＸ―Ｘ線断面図である図３において、横マチ９は横三角柱室１２を形成するようＶ字状に二つ折りにし、或いは９−１，９−２の２枚の横マチ布を用い三角形の頂角をなす折線、即ち横マチ布山折線１３（掛け布団裏面側から見ると谷折線１３となる・以下表側地方向から見た状態で山折れ谷折れと表現する）において表側地２に表側横縫目線５で縫着される。この際、横マチ９は帯状体を長手方向にＶ字状に２つ折りしても或いは２枚の帯状体を構成する横マチ布９−１，９−２を表側横縫目線５で縫着してもどちらでも良い。また、三角柱室，四角錘室等に羽毛等を充填するための充填用ノズルの挿入路を確保するためにはマチ布を２枚重ねとする。二つ折りした横マチ９の開いた両側縁１４、１４は、それぞれ裏側地３に縫着されその縫目は裏側地横縫目線７，７となり、横三角柱室１２が形成される。同様にして、図３においてはそのほかに３個所の横マチ９によって横三角柱室１２が縦方向に並列して４個所形成されている。
【００１０】
一方、図２のＹ−Ｙ線断面図である図４に示すように、掛布団１の縦方向に、帯状に長い縦マチ１０を、縦三角柱室１５を形成するよう長手方向中心線でＶ字状に二つ折りにして両側縁１７，１７を少し開き、縦マチ１０を三角形の頂角をなす折れ線、即ち縦マチ布山折線１６において表側地２の長手方向に表側地縦縫目線６で縫着する。縦マチ１０の場合も横マチ９と同様に一枚の帯状体を２つ折りしても、或いは幅の狭い２枚の帯状態の横マチ布９−１，９−２の側縁を縫合してもいずれでも良い。上記縫合時には同時に裏側地と表側地縦縫目線６で一体に縫合する。二つ折りしてＶ字状に開いた縦マチ１０の両側自由端縁１７，１７は、それぞれ裏側地３に縫着されて裏側地縦縫目線８，８となり、縦三角柱室１５が形成される。縦三角柱室１５は、図２に示すように縦方向に整列して形成される。
【００１１】
このように、横マチ９と縦マチ１０を複数枚交差させて掛布団１の内部を仕切る構造とすると、並列する横三角柱室１２，１２と並列する縦三角柱室１５，１５で四方を囲まれた空間は、台形室１１となる。即ち、上記したように、掛け布団本体１の縦横両方向における側面視断面が逆台形で、表側地２に接する面が裏側地３に接する面よりより大きい面積である台形室１１が形成される。尚、表側地２と裏側地３との縫着線４に接する布団１の周縁位置にある周縁台形室１１ａは、表側地に接する部分の面積が裏側地に接する面積より大きい変形逆台形状となる。同様に横三角柱室１２と縦三角柱室１５においても、表側地２と裏側地３との縫着線４に接する布団１の周縁位置にある周縁横三角柱室１２ａ、周縁縦三角柱室１５ａは変形三角柱室となり、横マチ９と縦マチ１０を表側地２と布団裏側地３の周縁部に縫着４する際には、マチ布に適宜タック、ギャザー等を設けて、掛布団周縁部及び裏側地横縫目線７、裏側地縦縫目線８が直線となるように縫着することが好ましい。
【００１２】
本発明掛布団の縦マチ１０及び横マチ９の立体構造の一例をそれぞれ２枚の縦マチ布１０−１，１０−２、横マチ布９−１，９−２を用いた例について説明する。本発明掛布団の立体構造を得るための縫製の一例を示すがこの手段に限定されることはない。
【００１３】
次にマチの構成について説明する。縦マチ１０は、図６に示す如き、布団の長さ方向に長い帯状体よりなる縦マチ布１０−１，１０−２を２枚用いて作られるが、縦マチ布１０−１，１０−２には縦マチ１０を構成する部分と、縦マチ１０と横マチ９とが交差する位置に出来る四角錘室１８の一部を構成する部分とが含まれる。然し、四角錘室１８を構成する部分をも含めて縦マチ布１０−１，１０−２と称する。
【００１４】
２枚の縦マチ布１０−１，１０−２は図６に示す如くその幅方向に若干ずらせて重ね、図７に示す如く、所定間隔ごとに谷折れＴ０，Ｔ１，Ｔ２，Ｔ３，Ｔ４……と山折れＹ０，Ｙ１，Ｙ２，Ｙ３，Ｙ４……を、谷折れ山折れ谷折れの組み合わせで繰り返し、山折れＹ０，Ｙ１，Ｙ２……を頂点とする立上げ片ａ−１，ａ−２，ｂ−１，ｂ−２，ｃ−１，ｃ−２，ｄ−１，ｄ−２，ｅ−１，ｅ−２，ｆ−１，ｆ−２を立ち上げる。上記山折れＹ０とＹ１の間、Ｙ２，とＹ３の間……は一部の立上げ片が切除され後述する縫製後縦マチ１０となる部分であり、山折れＹ１とＹ２の間、Ｙ３とＹ４（図示せず）の間……は一部の立上げ片が切除され残部分が四角錘室１８となる部分である。
上記縦マチ布１０−１，１０−２はＴ０，Ｔ１間、Ｔ２，Ｔ３間、Ｔ４，Ｔ５間……において重なり有っていない端縁部分を裏側地３に縫着する。縫着線は裏側地縦縫目線８となる。
【００１５】
次に各立上げ片の山折れＹ１，Ｙ２……を切断し、立上げ片ｂ−２，ｃ−２の間、同ｄ−２，ｅ−２の間にそれぞれ横マチ布９−１，９−２を配し、横マチ布９−１，９−２の側縁を裏側地３と縫着する。この縫着線が裏側地横縫目線７となる。上記において横マチ布９−１は２枚重ねたものを用い、重なった横マチ布間を羽毛送入パイプ挿通用の通路となるようにし、各横マチ布９−１，９−１が縦マチ８及び台形室１１四角錘室１８等に接する部位にパイプ挿入用スリット（図示せず）が設けられている。
【００１６】
次に四角錘室１８の縫製について図５と共に説明する。
前述の如く、谷折れＴ１，Ｔ２の間及び谷折れＴ３，Ｔ４の間に横マチ布９−１，９−２が裏側地横縫目線７を形成して縫い付けられており、その横マチ布９−１，９−２の未縫合端縁を縫合することで断面三角形状の横マチ９を構成すると共にその内部に四角錘室１８は作られる。
谷折れＴ２，Ｔ３間の縦マチ布１０−１の一側縁は裏側地縦縫目線８で裏側地３に既に縫着されているが、その未縫合の自由端縁の中心に頂点Ｚが位置する如き三角状に、Ｔ２，Ｔ３間の縦マチ布１０−１を切断し、或いは折り返し、２等辺三角布Ｓａとし、裏側地縦縫目線８に縫着した三角布Ｓａ以外の部分の縦マチ布１０−１を、該部分に連続している立上げ片ｃ−１，ｄ−１と共に、取り去る。取り去る部分を図５に陰線で示す。
また、立上げ片ｂ−１では自由端縁を底辺とする直角三角布Ｓｂが出来るように対角線位置で半裁し、直角三角布Ｓｂを残して取り去る。立上げ片ｅ−１でも同様に直角三角布Ｓｃを作る。同様に縦マチ布１０−２でも縦マチ布１０−１と同様の作業を行う。上記作業によって図５に示す陰線の部分が取り除かれる。
【００１７】
次に断面三角形の縦マチ１０を作るための縫製となるが、縦マチ布１０−１において先ず直角三角形の立上げ片ｂ−１の斜線部分を２枚重ねの横マチ布９−１の１枚に縫着する。他の横マチ布９−１は立上げ片ｂ−１とは縫合せず、２等辺三角布Ｓａの斜辺部分と縫合せる。２等辺三角布Ｓａの他の斜辺部分は、横マチ布９−２と縫合するが、この際立上げ片ｅ−１の斜辺も同時に縫合する。縦マチ布１０−２においても、同様に縫製され上記縫製の進行と共に、縦マチ布１０−１，１０−２の自由端縁は互いに縫合されると共に表側地２とも縫合され表側地縦縫目線６が作られる。これにより、横マチ布９−１，９−２、三角布Ｓａ，Ｓａにより四角錘室１８が構成される。
上記の縫製方法は、縫製の一例を示したものに過ぎず、本発明のマチ布構造を形成することの方法を限定するものではない。
【００１８】
本発明は、頂角が表側地に接する複数の三角柱室が、マチ布によって縦横両方向に形成され、三角柱室の交差部には四角錐室、該三角柱室の間には表側地側の面が裏側地側の面より大きい面積の台形室が形成され、三角柱室、四角錐室、および台形室を含む立体マチ構造を有する掛布団を得ることにある。図に示した本発明の掛布団は、一具体例を示すものであって、縦横のマチ布の数を変更することが出来るものであることは、言うまでもない。マチ布としては、薄手の通気性のよい布地が好ましく、ポリエステルトリコット地等を使用することが出来る。上記のように分割された全部の区画室内には、綿、化繊綿、羽毛等の詰め物を適量充填するが、特に、軽量の羽毛を使用する場合にその効果が顕著となる。
【００１９】
図１に示すように、中央台形室１１は、両サイドの周縁台形室１１ａ，１１ｂより大きい容積を有するようにすることによって、肌触りが良く就寝者の身体により良く沿い、身体に接する部分の詰め物の充填量を多くするなどの配慮によって、より保温性を高めることができる。また、本発明の掛布団は、図１の表側地側には縫い目が少なく、布団の美観を損なう事が無く、一方、図２に示した裏面の身体に接する裏側地側は、小区画の部屋が多数形成されているので布団の身体からの浮き上がりが無く、詰め物の量の調節も自由に出来、就寝者の身体によく沿い、ドレープ性に優れた掛布団となる。
また、本発明の掛布団においては、縦横に三角柱室が形成され、その間に四角錐室が形成されているので、羽毛等の軽い詰め物を使用した場合、この三角柱室と四角柱室の部分が布団の嵩高性を保つのに非常に効果があり、軽量であるにもかかわらず、多量の空気を内部に保持し、快適な睡眠を得ることができる。三角柱室の形成方向、形成数は、掛け布団の詰め物の種類、充填量、使用目的等によって任意に選択する。
【産業上の利用可能性】
【００２０】
本発明の掛布団は、身体に触れる裏側面には、布団表側面の数倍もの数の区画された室が形成されているので、表面の凹凸が緩やかになり、就寝者の身体へのフィット性、ドレープ性が優れている。掛布団内部で羽毛の偏りが生じることもなく詰め物の量の部分的増減も容易で保温性が向上する。更に、布団内部には、縦横に三角柱室が形成され、その間に四角錐室が形成されているので、この部分は、掛布団の嵩高性を維持するのに寄与し、他の部分の充填量を少なく、即ち、布団全体の重量を軽くすることが出来、経済的である。
【図面の簡単な説明】
【００２１】
【図１】本発明の掛布団の部分切欠平面図である。
【図２】図１の掛布団の部分切欠底面図である。
【図３】図２の掛布団のＸ−Ｘ線断面図である。
【図４】図２の掛布団のＹ−Ｙ線断面図である。
【図５】２枚の縦マチ布を展開した状態の四角錘室を中心とする構成説明図である。
【図６】縦マチ布の重ねた状態を示す説明図である。
【図７】縦マチ布を折り畳んだ状態を示す説明図である。
【図８】縦マチ布に横マチ布を交差させる状態を示す説明図である。
【図９】縦マチ布と横マチ布の交差部形成を示す説明図である。
【図１０】形成された交差部の表地を除いた状態を示す説明図である。
【符号の説明】
【００２２】
１  掛布団
２  表側地
３  裏側地
４  縫着線
５  表側地横縫目線
６  表側地縦縫目線
７  裏側地横縫目線
８  裏側地縦縫目線
９  横マチ
９−１，９−２  横マチ布
１０  縦マチ
１０−１，１０−２  縦マチ布
１１，１１ａ  台形室
１２，１２ａ  横三角柱室
１３，横マチ布谷折線
１４  横マチ布側縁
１５，１５ａ  縦三角柱室
１６  縦マチ布山折線
１７  縦マチ布側縁
１８  四角錐室
１９  マチ布交差中心点
ａ−１，ａ−２  立上げ片
ｂ−１，ｂ−２  立上げ片
ｃ−１，ｃ−２  立上げ片
ｄ−１，ｄ−２  立上げ片
ｅ−１，ｅ―２  立上げ片
【図１】
2007020703.tif 000003
【図２】
2007020703.tif 000004
【図３】
2007020703.tif 000005
【図４】
2007020703.tif 000006
【図５】
2007020703.tif 000007
【図６】
2007020703.tif 000008
【図７】
2007020703.tif 000009
【図８】
2007020703.tif 000010
【図９】
2007020703.tif 000011
【図１０】
2007020703.tif 000012